(57)【要約】【課題】製造し易い電池パックを提供する。【解決手段】電池パック１は、電池スタック１０の一方端部１０ｂに接触して位置する第１スペーサ３０と、列置方向ＤＬについて第１スペーサ３０と収納ケース２０の一方端側壁部２１ｂとの間に位置する第２スペーサ４０とを備える。第１スペーサ３０は、磁性体である。第２スペーサ４０は、当該第２スペーサ４０を列置方向ＤＬに貫通する貫通孔であって、列置方向ＤＬについて第１スペーサ３０の一部と対向する位置に形成されたスペーサ貫通孔４０ｃを有する。収納ケース２０の一方端側壁部２１ｂは、当該一方端側壁部２１ｂを列置方向ＤＬに貫通する貫通孔であって、列置方向ＤＬについてスペーサ貫通孔４０ｃと重なる位置に形成された収納ケース貫通孔２２を有する。【選択図】図１
2020047543.tif 000002
【特許請求の範囲】
【請求項１】
列置方向に一列に列置された複数の電池を有する電池スタックと、
前記電池スタックを収納する収納ケースと、
前記収納ケース内に配置された複数のスペーサであって、前記電池スタックのうち前記列置方向の一方端側に位置する一方端部と、前記収納ケースの壁部のうち前記列置方向の一方端側に位置する一方端側壁部と、の間に介在する複数のスペーサと、を備える
電池パックであって、
複数の前記スペーサは、
前記電池スタックの前記一方端部に接触して位置する第１スペーサと、
前記列置方向について前記第１スペーサと前記収納ケースの前記一方端側壁部との間に位置する第２スペーサと、であり、
前記第１スペーサは、磁性体であり、
前記第２スペーサは、当該第２スペーサを前記列置方向に貫通する貫通孔であって、前記列置方向について前記第１スペーサの一部と対向する位置に形成されたスペーサ貫通孔を有し、
前記収納ケースの前記一方端側壁部は、当該一方端側壁部を前記列置方向に貫通する貫通孔であって、前記列置方向について前記スペーサ貫通孔と重なる位置に形成された収納ケース貫通孔を有する
電池パック。
【発明の詳細な説明】
【技術分野】
【０００１】
本発明は、電池パックに関する。
【背景技術】
【０００２】
特許文献１には、列置方向に一列に列置された複数の電池を有する電池スタックと、この電池スタックを収納する収納ケースとを備える電池パックが開示されている。
【先行技術文献】
【特許文献】
【０００３】
【特許文献１】特開２０１４−１０２９３９号公報
【０００４】
特許文献１には、以下のような電池パックを製造する方法が開示されている。具体的には、まず、収納ケース内に、複数の電池を列置方向に一列に列置しつつ収納する。但し、列置方向に隣り合う電池の間、収納ケースの一方端側壁部と電池との間、及び、収納ケースの他方端側壁部と電池との間に、隙間を設けるようにして、複数の電池を収納ケース内に配置する。その後、列置方向に隣り合う電池の間の隙間、収納ケースの一方端側壁部と電池との間の隙間、及び、収納ケースの他方端側壁部と電池との間の隙間に、中間部材を挿入（圧入）する。このようにして、列置方向に一列に列置された複数の電池と中間部材とを有する電池スタックが形成されると共に、当該電池スタックが収納ケース内に収納された電池パックが製造される。
【発明の概要】
【発明が解決しようとする課題】
【０００５】
ところで、電池パックとして、列置方向に一定の拘束荷重がかけられた状態の電池スタックを有する電池パックが求められている。このため、電池スタックに対し列置方向に一定の拘束荷重をかけた状態で、電池スタックを収納ケース内に収納し、電池スタックに対し列置方向に一定の拘束荷重がかかった状態の電池パックを製造することが求められている。しかしながら、電池スタックを構成する電池には、列置方向寸法（厚み）に少なからずバラツキ（製造誤差）があるため、複数の電池が列置方向に列置された前記電池スタックでは、列置方向寸法にバラツキが生じてしまうことがある。
【０００６】
このため、列置方向に一定の拘束荷重がかけられた状態の電池スタックを有する電池パックを製造するために、以下のような製造方法が検討されている。具体的には、まず、収納ケースとして、列置方向にかかる内側寸法Ｂが、電池の寸法バラツキを考慮した想定され得る電池スタックの列置方向寸法の最大値よりも大きな収納ケースを用意する。また、収納ケース内に配置する板状のスペーサであって、電池スタックと収納ケースとの間の隙間を埋めるためのスペーサを多数用意する。但し、スペーサとして、異なる厚み（列置方向寸法）を有する複数種類のスペーサを用意する。
【０００７】
そして、拘束荷重付与装置等を用いて、列置方向に一列に列置された複数の電池を有する電池スタックに対し、列置方向に一定の拘束荷重をかけ、この状態を保持する。さらに、電池スタックを収納ケース内に収納するのに先立って、列置方向に一定の拘束荷重がかけられた状態の電池スタックについて、列置方向の寸法Ａ（収納ケース内に配置される部位の列置方向寸法）を測定し、収納ケースの列置方向にかかる内側寸法Ｂから電池スタックの列置方向の寸法Ａを差し引いた差分値Ｃ（＝Ｂ−Ａ）を算出する。そして、多数のスペーサの中から、合計の厚み（列置方向寸法）が差分値Ｃとなる１または複数のスペーサを選択し、電池スタックを収納ケース内に収納するのに先立って、収納ケース内に選択した複数のスペーサを配置する。例えば、１つのスペーサを収納ケースの一方端側壁部に接触させるようにして、複数のスペーサを収納ケースの一方端側壁部側に重ねて配置する。
【０００８】
この状態で、複数のスペーサと収納ケースの他方端側壁部との間に電池スタックが挟まれるように、拘束荷重付与装置等によって列置方向に一定の拘束荷重がかけられている状態の電池スタックを、収納ケース内に収納する。その後、拘束荷重付与装置等による電池スタックへの拘束荷重の付与を解放する。このようにすることで、列置方向に一定の拘束荷重がかけられた状態の電池スタックを有する電池パックを製造することができる。
【０００９】
しかしながら、上述の製造方法では、収納ケース内にスペーサを配置した状態で、電池スタックを収納ケース内に収納する際に、スペーサが倒れてしまうことがあり、スムーズに電池パックを製造できないことがあった。このため、電池スタックを収納ケース内に収納する際に、スペーサが倒れることを防止してスムーズに電池スタックを収納ケース内に収納することができるように、製造し易い電池パックが求められていた。
【００１０】
本発明は、かかる現状に鑑みてなされたものであって、製造し易い電池パックを提供することを目的とする。
【課題を解決するための手段】
【００１１】
本発明の一態様は、列置方向に一列に列置された複数の電池を有する電池スタックと、前記電池スタックを収納する収納ケースと、前記収納ケース内に配置された複数のスペーサであって、前記電池スタックのうち前記列置方向の一方端側に位置する一方端部と、前記収納ケースの壁部のうち前記列置方向の一方端側に位置する一方端側壁部と、の間に介在する複数のスペーサと、を備える電池パックであって、複数の前記スペーサは、前記電池スタックの前記一方端部に接触して位置する第１スペーサと、前記列置方向について前記第１スペーサと前記収納ケースの前記一方端側壁部との間に位置する第２スペーサと、であり、前記第１スペーサは、磁性体であり、前記第２スペーサは、当該第２スペーサを前記列置方向に貫通する貫通孔であって、前記列置方向について前記第１スペーサの一部と対向する位置に形成されたスペーサ貫通孔を有し、前記収納ケースの前記一方端側壁部は、当該一方端側壁部を前記列置方向に貫通する貫通孔であって、前記列置方向について前記スペーサ貫通孔と重なる位置に形成された収納ケース貫通孔を有する電池パックである。
【００１２】
上述の電池パックは、列置方向に一列に列置された複数の電池を有する電池スタックと、電池スタックを収納する収納ケースと、収納ケース内に配置された複数のスペーサとを備える。このうち、複数のスペーサは、電池スタックの一方端部と収納ケースの一方端側壁部との間に介在している。なお、電池スタックの一方端部とは、電池スタックのうち列置方向の一方端側に位置する端部である。また、収納ケースの一方端側壁部とは、収納ケースの壁部のうち列置方向の一方端側に位置する壁部である。
【００１３】
さらに、上述の電池パックでは、複数のスペーサは、電池スタックの一方端部に接触して位置する第１スペーサと、列置方向について第１スペーサと収納ケースの一方端側壁部との間に位置する第２スペーサとである。すなわち、上述の電池パックでは、収納ケース内の電池スタックの一方端部と収納ケースの一方端側壁部との間において、列置方向について、電池スタック側から、第１スペーサ、第２スペーサの順に配置されている。
【００１４】
さらに、上述の電池パックでは、第１スペーサが磁性体である。さらに、第２スペーサは、当該第２スペーサを列置方向（第２スペーサの厚み方向に位置する）に貫通するスペーサ貫通孔であって、列置方向について第１スペーサの一部（磁性体である部位）と対向する位置に形成されたスペーサ貫通孔を有している。さらに、収納ケースの一方端側壁部は、当該一方端側壁部を列置方向に貫通する収納ケース貫通孔であって、列置方向についてスペーサ貫通孔と重なる（対向する）位置に形成された収納ケース貫通孔を有している。従って、スペーサ貫通孔と収納ケース貫通孔とは、列置方向に連なっている。
【００１５】
このような構成の電池パックは、製造し易い電池パックとなっている。具体的には、以下のようにして製造することで、収納ケース内に電池スタックを収納する際に、第１スペーサ及び第２スペーサが倒れてしまう不具合を防止することができる。例えば、まず、収納ケース内に第１スペーサと第２スペーサを配置する。このとき、第２スペーサを収納ケースの一方端側壁部に接触させるように配置し、第１スペーサを第２スペーサに接触させるように配置する。すなわち、第１スペーサと収納ケースの一方端側壁部との間に第２スペーサが挟まれるように、第１スペーサと第２スペーサを収納ケース内に配置する。
【００１６】
但し、このとき、第２スペーサのスペーサ貫通孔が列置方向について第１スペーサの一部（磁性体である部位）と対向し、且つ、第２スペーサのスペーサ貫通孔が収納ケースの一方端側壁部の収納ケース貫通孔と列置方向に連なる（重なる）ように、第１スペーサと第２スペーサを収納ケース内に配置する。さらに、このとき、収納ケースの一方端側壁部の外面に接触する位置であって、収納ケース貫通孔を閉塞する位置に（列置方向について収納ケース貫通孔と対向する位置に）、磁石（電磁石）を配置する。
【００１７】
このように、収納ケース貫通孔が形成された収納ケース及びスペーサ貫通孔が形成された第２スペーサを用い、第１スペーサと磁石（電磁石）との間に、収納ケース貫通孔とスペーサ貫通孔とを列置方向に連なるように配置させることで、収納ケース貫通孔及びスペーサ貫通孔が形成されていない場合に比べて、磁石の磁力が、磁性体である第１スペーサに伝達され易くなる。これにより、収納ケース貫通孔及びスペーサ貫通孔が形成されていない場合に比べて、磁石によって第１スペーサを強く引っ張ることができる（第１スペーサが磁石に引き寄せられる力を大きくすることができる）ので、第１スペーサが倒れること（詳細には、第２スペーサが配置されている側とは反対側に倒れること）を防止することができる。さらには、第１スペーサと収納ケースの一方端側壁部との間に挟まれている第２スペーサが倒れることも防止することができる。
【００１８】
このような状態で、列置方向について第１スペーサと収納ケースの他方端側壁部（収納ケースの壁部のうち列置方向の他方端側に位置する壁部であって、列置方向について一方端側壁部と対向する部位）との間に電池スタックが挟まれるように、当該電池スタックを収納ケース内に収納することで、第１スペーサ及び第２スペーサが倒れることを防止しつつ、スムーズに、電池スタックを収納ケース内に収納することができる。
以上説明したように、上述の電池パックは、製造し易い電池パックとなっている。
【００１９】
なお、上述の電池パックは、第２スペーサが、１つの電池スタックに対し、１つ設けられる場合に限らず、複数設けられる場合も含む。１つの電池スタックに対して第２スペーサが複数設けられる場合は、列置方向に並ぶ複数の第２スペーサに形成されたスペーサ貫通孔が、列置方向に重なる（対向する）ように設けられる。
【００２０】
また、上述の電池パックは、電池スタックが収納ケース内に１つ（１列）設けられる場合に限らず、複数（複数列）の電池スタックが、収納ケース内に、列置方向に直交する方向（幅方向）に並んで設けられる場合も含む。また、第２スペーサ及び収納ケースは、非磁性体であっても良いし、磁性体であっても良い。
【図面の簡単な説明】
【００２１】
【図１】実施形態にかかる電池パックの部分断面概略図である。
【図２】収納ケースの一方端側壁部の正面図である。
【図３】第２スペーサの正面図である。
【図４】第１スペーサの正面図である。
【図５】図１のＥ部拡大図である。
【図６】電池パックの構造を説明する図である。
【図７】電池パックの製造方法を説明する図である。
【図８】電池パックの製造方法を説明する他の図である。
【図９】電池パックの製造方法を説明する他の図である。
【図１０】電池パックの製造方法を説明する他の図である。
【図１１】電池パックの製造方法を説明する他の図である。
【発明を実施するための形態】
【００２２】
次に、本発明の実施形態について説明する。図１は、実施形態にかかる電池パック１の部分断面概略図である。図２は、電池パック１の構成部品である収納ケース２０の一方端側壁部２１ｂを外部から正面視した図である。図３は、第２スペーサ４０の正面図である。図４は、第１スペーサ３０の正面図である。図５は、図１のＥ部拡大図である。図６は、電池パック１について、収納ケース２０の一方端側壁部２１ｂを外部から正面視した図である。
【００２３】
本実施形態の電池パック１は、図１に示すように、列置方向ＤＬ（図１において左右方向）に一列に列置された複数の電池１１を有する電池スタック１０と、電池スタック１０を収納する収納ケース２０と、収納ケース２０内に配置された板状の第１スペーサ３０及び第２スペーサ４０とを備える。なお、本実施形態の電池パック１では、収納ケース２０内に、２つ（２列）の電池スタック１０が収納されている。具体的には、図１において紙面に直交する方向（幅方向ＤＷ、図２及び図６参照）に、２つの電池スタック１０が並んでいる。
【００２４】
電池スタック１０は、列置方向ＤＬに一列に配置された複数の電池１１と、列置方向ＤＬに隣り合う電池１１の間に介在する冷却板１２と、これらを列置方向ＤＬに挟んで固定するための一対のエンドプレート１３とを備えている。電池１１は、直方体形状をなしている。
【００２５】
また、収納ケース２０は、非磁性体からなり、略矩形箱形状をなしている。この収納ケース２０は、例えば、アルミダイキャストによって形成することができる。収納ケース２０の一方端側壁部２１ｂの上端側には、図２及び図５に示すように、一方端側壁部２１ｂを列置方向ＤＬに貫通する収納ケース貫通孔２２が、幅方向ＤＷに４つ並んで設けられている。なお、収納ケース２０の一方端側壁部２１ｂとは、収納ケース２０の壁部２１のうち列置方向ＤＬの一方端側ＤＬ１に位置する壁部２１である。
【００２６】
第１スペーサ３０及び第２スペーサ４０は、電池スタック１０の一方端部１０ｂと収納ケース２０の一方端側壁部２１ｂとの間に介在している。なお、電池スタック１０の一方端部１０ｂとは、電池スタック１０のうち列置方向ＤＬの一方端側ＤＬ１（図１において右側）に位置する端部である。
【００２７】
このうち、第１スペーサ３０は、平板状をなし、電池スタック１０の一方端部１０ｂに接触して設けられている。また、第２スペーサ４０は、平板状をなし、列置方向ＤＬについて第１スペーサ３０と収納ケース２０の一方端側壁部２１ｂとの間に設けられている。すなわち、本実施形態の電池パック１では、収納ケース２０内の電池スタック１０の一方端部１０ｂと収納ケース２０の一方端側壁部２１ｂとの間において、列置方向ＤＬについて、電池スタック１０側から、第１スペーサ３０、第２スペーサ４０の順に配置されている。
【００２８】
なお、図１には、１つの電池スタック１０について、２枚の第２スペーサ４０を設けた例を示している。すなわち、列置方向ＤＬについて第１スペーサ３０と収納ケース２０の一方端側壁部２１ｂとの間に、２枚の第２スペーサ４０が配置されている。
【００２９】
また、本実施形態の電池パック１では、各々の電池スタック１０に対し、列置方向ＤＬに一定の拘束荷重（圧縮荷重）がかけられた状態となっている。具体的には、電池スタック１０の一方端部１０ｂが第１スペーサ３０によって列置方向ＤＬの他方端側ＤＬ２に押圧されると共に、電池スタック１０の他方端部１０ｃが収納ケースの他方端側壁部２１ｃによって列置方向ＤＬの一方端側ＤＬ１に押圧される態様で、電池スタック１０に対し、列置方向ＤＬに一定の拘束荷重（圧縮荷重）がかけられている。
【００３０】
なお、電池スタック１０の他方端部１０ｃとは、電池スタック１０のうち列置方向ＤＬの他方端側ＤＬ２（図１において左側）に位置する端部である。また、収納ケース２０の他方端側壁部２１ｃとは、収納ケース２０の壁部２１のうち列置方向ＤＬの他方端側ＤＬ２に位置する壁部２１であって、列置方向ＤＬについて一方端側壁部２１ｂと対向する部位である。
【００３１】
本実施形態の電池パック１では、第１スペーサ３０は、磁性体である。例えば、第１スペーサ３０は、鉄などの金属によって形成することができる。この第１スペーサ３０は、図４に示すように、平面視で、角形のＵ字形状（コの字の開口を上に向けた形状）をなしている。第１スペーサ３０は、図６に示すように、収納ケース２０内に２枚配置されている。具体的には、幅方向ＤＷに並ぶ２つの電池スタック１０の一方端部１０ｂに対し、第１スペーサ３０が１枚ずつ、接触して設けられている。
【００３２】
また、第２スペーサ４０は、非磁性体であり、例えば、樹脂によって形成することができる。この第２スペーサ４０は、図３に示すように、平面視で、角形のＵ字形状（コの字の開口を上に向けた形状）をなしている。具体的には、第１スペーサ３０と、同等（同寸泡）の外形を有している。第２スペーサ４０は、幅方向ＤＷに並ぶ２つの電池スタック１０のそれぞれについて、第１スペーサ３０と収納ケース２０の一方端側壁部２１ｂとの間に介在している。
【００３３】
なお、第２スペーサ４０は、第１スペーサ３０とは異なり、第２スペーサ４０を列置方向ＤＬ（第２スペーサ４０の厚み方向に一致）に貫通するスペーサ貫通孔４０ｃを有している。このスペーサ貫通孔４０ｃは、第２スペーサ４０の上端側に、幅方向ＤＷについて、２つ並んで設けられている。本実施形態の電池パック１では、図５及び図６に示すように、各々の第２スペーサ４０は、２つのスペーサ貫通孔４０ｃが、列置方向ＤＬについて第１スペーサ３０の一部（磁性体である部位、上端側の部位）と対向するように設けられている。
【００３４】
さらに、本実施形態の電池パック１では、図５及び図６に示すように、各々の第２スペーサ４０は、スペーサ貫通孔４０ｃが、列置方向ＤＬについて収納ケース貫通孔２２と重なる（対向する）ように設けられている。すなわち、幅方向ＤＷに並ぶ４つのスペーサ貫通孔４０ｃが、幅方向ＤＷに並ぶ４つの収納ケース貫通孔２２と、列置方向ＤＬに重なる（対向する）ように設けられている。従って、スペーサ貫通孔４０ｃと収納ケース貫通孔２２とが、列置方向ＤＬに連なっている。このため、本実施形態の電池パック１では、スペーサ貫通孔４０ｃと収納ケース貫通孔２２とを通じて、外部から、第１スペーサ３０の一部（磁性体である部位、上端側の部位）が視認できるように構成されている（図６参照）。
【００３５】
このような構成の電池パック１は、製造し易い電池パックとなっている。具体的には、後述するようにして電池パック１を製造することで、収納ケース２０内に電池スタック１０を収納する際に、第１スペーサ３０及び第２スペーサ４０が倒れてしまう不具合を防止することができる。
【００３６】
次に、本実施形態にかかる電池パック１の製造方法について説明する。
具体的には、まず、収納ケース２０を用意する。そして、当該収納ケース２０について、列置方向ＤＬにかかる内側寸法Ｂを測定する（図７参照）。なお、本実施形態の収納ケース２０では、列置方向ＤＬにかかる内側寸法Ｂが、電池１１の寸法バラツキを考慮した電池スタック１０の列置方向寸法Ａ（列置方向ＤＬにかかる寸法）の想定され得る最大値よりも大きくされている。すなわち、収納ケース２０内に電池スタック１０のみを配置したときには、必ず、列置方向ＤＬについて収納ケース２０の内面と電池スタック１０との間に隙間ができるようにされている。
【００３７】
また、収納ケース２０内に配置する第１スペーサ３０及び第２スペーサ４０を用意する。但し、第２スペーサ４０として、異なる厚み（列置方向ＤＬにかかる寸法）を有する複数種類の第２スペーサ４０を用意する。
【００３８】
また、列置方向ＤＬに一列に配置された複数の電池１１と、列置方向ＤＬに隣り合う電池１１の間に介在する冷却板１２と、これらを列置方向ＤＬに挟んで固定するためのエンドプレート１３とを備えた、電池スタック１０を用意する（図８参照）。そして、拘束荷重付与装置（図示省略）を用いて、電池スタック１０に対し、列置方向ＤＬに一定の拘束荷重（圧縮力）をかけ、この状態を保持する（図８参照）。
【００３９】
次いで、電池スタック１０を収納ケース２０内に収納するのに先立って、列置方向ＤＬに一定の拘束荷重がかけられて保持された状態の電池スタック１０について、列置方向ＤＬの寸法Ａ（収納ケース２０内に配置される部位の列置方向寸法Ａ）を測定する。さらに、収納ケース２０の列置方向ＤＬにかかる内側寸法Ｂから電池スタック１０の列置方向寸法Ａを差し引いた差分値Ｃ（＝Ｂ−Ａ）を算出する。
【００４０】
次に、第１スペーサ３０と第２スペーサ４０の厚み（列置方向寸法）の合計が差分値Ｃとなるように、１枚の第１スペーサ３０と、１または複数枚の第２スペーサ４０と、を選択する。そして、電池スタック１０を収納ケース２０内に収納するのに先立って、収納ケース２０内に、選択した第１スペーサ３０と第２スペーサ４０を配置する（図９参照）。なお、図９に示す例では、１枚の第１スペーサ３０と、厚みの異なる２枚の第２スペーサ４０とを、収納ケース２０内に配置している。すなわち、図９には、１枚の第１スペーサ３０の厚みと２枚の第２スペーサ４０の厚みとの合計が、差分値Ｃ（＝Ｂ−Ａ）となる例を示している。
【００４１】
このとき、図９に示すように、第１スペーサ３０を、収納ケース２０の一方端側壁部２１ｂから列置方向ＤＬについて最も離れた位置に配置し、第２スペーサ４０を、収納ケース２０の一方端側壁部２１ｂに接触させるようにして、一方端側壁部２１ｂと第１スペーサ３０との間に配置する。すなわち、第１スペーサ３０と収納ケースの一方端側壁部２１ｂとの間に第２スペーサ４０が挟まれるように、第１スペーサ３０と第２スペーサ４０を収納ケース２０内に配置する。
【００４２】
但し、このとき、第２スペーサ４０のスペーサ貫通孔４０ｃが列置方向ＤＬについて第１スペーサ３０の一部（磁性体である部位）と対向し、且つ、１または複数の第２スペーサ４０のスペーサ貫通孔４０ｃが収納ケース２０の一方端側壁部２１ｂの収納ケース貫通孔２２と列置方向ＤＬに連なる（重なる）ように、第１スペーサ３０と第２スペーサ４０を収納ケース２０内に配置する（図９参照）。このように配置したとき、収納ケース貫通孔２２とスペーサ貫通孔４０ｃとを通じて、外部から、第１スペーサ３０の一部（磁性体である部位、上端側の部位）が視認できるような位置関係になる（図６及び図９参照）。
【００４３】
さらに、この状態で、収納ケース２０の一方端側壁部２１ｂの外面に接触する位置であって、収納ケース貫通孔２２の開口を閉塞する位置に（列置方向ＤＬについて収納ケース貫通孔２２と対向する位置に）、磁石５０（例えば、電磁石）を配置する（図９参照）。これにより、磁性体である第１スペーサ３０に対し、収納ケース２０の一方端側壁部２１ｂと第２スペーサ４０とを通じて、磁石５０に引きつけられる力が働く。すなわち、磁石５０によって、第１スペーサ３０に対し、列置方向ＤＬの一方端側ＤＬ１（図９において右側）に引きつける力を作用させる。
【００４４】
特に、本実施形態では、収納ケース貫通孔２２が形成された収納ケース２０及びスペーサ貫通孔４０ｃが形成された第２スペーサ４０を用い、第１スペーサ３０と磁石５０との間に、収納ケース貫通孔２２とスペーサ貫通孔４０ｃとを列置方向ＤＬに連なるように配置させることで、収納ケース貫通孔２２とスペーサ貫通孔４０ｃを通じて、磁石５０の磁力を第１スペーサ３０に伝達できるようにしている。このようにすることで、収納ケース貫通孔２２及びスペーサ貫通孔４０ｃが形成されていない場合に比べて、磁石５０の磁力が、磁性体である第１スペーサ３０に伝達され易くなる。
【００４５】
これにより、本実施形態では、収納ケース貫通孔２２及びスペーサ貫通孔４０ｃが形成されていない場合に比べて、磁石５０によって、第１スペーサ３０を、列置方向ＤＬの一方端側ＤＬ１（図９において右側）に強く引くことができる（第１スペーサ３０が列置方向ＤＬの一方端側ＤＬ１に引き寄せられる力を大きくすることができる）。従って、第１スペーサ３０が、列置方向ＤＬについて第２スペーサ４０が配置されている一方端側ＤＬ１とは反対側の他方端側ＤＬ２（図９において左側）に倒れることを防止することができる。さらには、第１スペーサ３０と収納ケース２０の一方端側壁部２１ｂとの間に挟まれている第２スペーサ４０が倒れることも防止することができる。
【００４６】
次いで、上述のように第１スペーサ３０及び第２スペーサ４０の転倒が防止された状態で、列置方向ＤＬについて第１スペーサ３０と収納ケース２０の他方端側壁部２１ｃとの間に、拘束荷重付与装置（図示省略）によって一定の拘束荷重がかけられた状態で保持されている電池スタック１０が挟まれるように、当該電池スタック１０を収納ケース２０内に収納する。
【００４７】
例えば、図１０に示すように、拘束荷重付与装置（図示省略）によって一定の拘束荷重がかけられた状態で保持されている電池スタック１０の下方から、「第１スペーサ３０と第２スペーサ４０が内部に配置され、且つ、収納ケース貫通孔２２に対向する位置に磁石５０が配置された状態の収納ケース２０」を上昇させて、図１１に示すように、列置方向ＤＬについて第１スペーサ３０と収納ケース２０の他方端側壁部２１ｃとの間に、拘束荷重付与装置（図示省略）によって一定の拘束荷重がかけられた状態で保持されている電池スタック１０が挟まれるように、当該電池スタック１０を収納ケース２０内に収納する。
【００４８】
このようにして、電池スタック１０を収納ケース２０内に収納することで、第１スペーサ３０及び第２スペーサ４０が倒れることを防止しつつ、スムーズに、電池スタック１０を収納ケース２０内に収納することができる。
【００４９】
その後、収納ケース２０から磁石５０を取り外す（離間させる）。さらには、拘束荷重付与装置（図示省略）による電池スタック１０への拘束荷重の付与を解放する。このとき、電池スタック１０は、列置方向ＤＬについて隙間無く、収納ケース２０内に収納されている（詳細には、収納ケース２０の他方端側壁部２１ｃと第１スペーサ３０との間に隙間無く挟まれている）ので、電池スタック１０に対する一定の拘束荷重は維持される。
【００５０】
本実施形態では、上述のようにして、２つ（２列）の電池スタック１０を、列置方向ＤＬに一定の拘束荷重がかけた状態で、収納ケース２０内に収納する。これにより、列置方向ＤＬに一定の拘束荷重がかけられた状態の２つ（２列）の電池スタック１０を有する電池パック１（図１参照）を得ることができる。
以上説明したように、本実施形態の電池パック１は、製造し易い電池パックとなっている。
【００５１】
以上において、本発明を実施形態に即して説明したが、本発明は上記実施形態に限定されるものではなく、その要旨を逸脱しない範囲で、適宜変更して適用できることはいうまでもない。
【００５２】
例えば、実施形態では、２つ（２列）の電池スタック１０が幅方向ＤＷに並んで収納ケース２０内に収納された電池パック１を示したが、本発明では、収納ケース内に収納される電池スタックの数は、いくつであっても良い。本発明は、１つ（１列）の電池スタックが収納ケース内に収納された電池パックにも適用することができるし、３つ（３列）以上の電池スタックが幅方向ＤＷに並んで収納ケース内に収納された電池パックにも適用することができる。
【００５３】
また、実施形態では、第２スペーサとして非磁性体である第２スペーサ４０を使用し、収納ケースとして、非磁性体である収納ケース２０を使用した例を示した。しかしながら、第２スペーサ及び収納ケースは、磁性体であっても良い。
【符号の説明】
【００５４】
１  電池パック
１０  電池スタック
１０ｂ  一方端部
１０ｃ  他方端部
１１  電池
１２  冷却板
１３  エンドプレート
２０  収納ケース
２１  壁部
２１ｂ  一方端側壁部
２１ｃ  他方端側壁部
２２  収納ケース貫通孔
３０  第１スペーサ
４０  第２スペーサ
４０ｃ  スペーサ貫通孔
５０  磁石
ＤＬ  列置方向
ＤＬ１  列置方向の一方端側
ＤＬ２  列置方向の他方端側
ＤＷ  幅方向
【図１】
2020047543.tif 000003
【図２】
2020047543.tif 000004
【図３】
2020047543.tif 000005
【図４】
2020047543.tif 000006
【図５】
2020047543.tif 000007
【図６】
2020047543.tif 000008
【図７】
2020047543.tif 000009
【図８】
2020047543.tif 000010
【図９】
2020047543.tif 000011
【図１０】
2020047543.tif 000012
【図１１】
2020047543.tif 000013